(57)【要約】【課題】レンズホルダの上面部中心に対物レンズを配置した場合でも、フォーカシング駆動の際の感度が高く、レンズホルダの小型、軽量化を図ることができ、さらに、駆動マグネットを配置する際、高い位置精度を必要としない光ヘッド装置を提供すること。【解決手段】レンズセンタータイプの対物レンズ駆動装置を備えた光ヘッド装置において、レンズホルダ３の前面部３６において開口３１を挟む両側部分、および後面部３７の両側部分の計４箇所の各々にフォーカシング駆動コイル１１が配置されている。また、後面部３７の両側部分の計２箇所、および後面部３７の中央部分には、剛性基板１５に形成された薄型平面コイルによって、チルト駆動コイル１３およびトラッキング駆動コイル１２が配置されている。【選択図】図３
2007109317.tif 000002
【特許請求の範囲】
【請求項１】
対物レンズを上面部中央に保持したレンズホルダと、該レンズホルダを変位可能に支持する固定側部材と、前記レンズホルダをフォーカシング方向、トラッキング方向およびチルト方向に駆動する磁気駆動回路と、前記対物レンズの下方位置に配置された立ち上げミラーとを有し、前記レンズホルダにおいてトラッキング方向と直交する方向で相対向する前面部および後面部のうち、前面部には前記立ち上げミラーへの光路を確保する開口が形成された光ヘッド装置において、
前記磁気駆動回路では、前記前面部において前記開口を挟む両側部分および前記後面部の両側部分の計４箇所にフォーカシング駆動コイルが配置され、前記前面部および前記後面部のうちの少なくとも一方の両側部分では前記フォーカシング駆動コイルに重ねてチルト駆動コイルが配置され、前記後面部の中央部分の１箇所にトラッキング駆動コイルが配置されていることを特徴とする光ヘッド装置。
【請求項２】
請求項１において、前記チルト駆動コイルは、前記後面部の両側部分で前記フォーカシング駆動コイルに重ねて配置され、
前記後面部の少なくとも一部は、両側部分に前記チルト駆動コイルが薄膜パターンにより薄型平面コイルとして形成された剛性基板によって構成され、
当該剛性基板の外面側には前記チルト駆動コイルの上に前記フォーカシング駆動コイルが接着固定されていることを特徴とする光ヘッド装置。
【請求項３】
請求項２において、前記剛性基板では、中央部分に前記トラッキング駆動コイルが薄膜パターンにより薄型平面コイルとして形成されていることを特徴とする光ヘッド装置。
【請求項４】
請求項１ないし３のいずれかにおいて、前記磁気駆動回路では、前記前面部の両側部分の外面側、および前記後面部の両側部分の外面側に対向する計４箇所にフォーカシング方向に２分極着磁された第１の駆動マグネットが配置され、前記後面部の中央部分の外面側に対向する１箇所にトラッキング方向に２分極着磁された第２の駆動マグネットが配置されていることを特徴とする光ヘッド装置。
【請求項５】
請求項４において、前記第１の駆動マグネットと前記第２の駆動マグネットとは厚さ寸法が相違していることを特徴とする光ヘッド装置。
【請求項６】
請求項１ないし５のいずれかにおいて、前記レンズホルダは、トラッキング方向の両側に配置された複数本のワイヤを介して前記固定側部材に変位可能に支持されていることを特徴とする光ヘッド装置。
【発明の詳細な説明】
【技術分野】
【０００１】
本発明は、ＣＤやＤＶＤなどの光記録ディスクの記録、再生等に用いられる光ヘッド装置に関するものである。
【背景技術】
【０００２】
ＣＤやＤＶＤなどの光記録ディスクの記録、再生等に用いられる光ヘッド装置は、一般に、光源からの出射光を光記録ディスクに収束させる対物レンズを駆動するための対物レンズ駆動装置を有している。かかる対物レンズ駆動装置は、対物レンズを保持するレンズホルダの側に配置された駆動コイルと、固定側部材の側で駆動コイルに対向する駆動マグネットとを備えた磁気駆動回路を有しており、駆動コイルに給電した際の磁気力を利用してレンズホルダを所定方向に駆動する。
【０００３】
かかる対物レンズ駆動装置には、大別してレンズオフセットタイプとレンズセンタータイプの２タイプがある。前者のレンズオフセットタイプの対物レンズ駆動装置は、レンズホルダの中心位置からずれた位置に対物レンズを保持しているので、レンズホルダの内側に立ち上げミラーを配置でき、光ヘッド装置を薄型化できるという利点がある（例えば、特許文献１参照）。
【０００４】
しかしながら、レンズオフセットタイプの対物レンズ駆動装置では、一般に、ピッチング、ローリングなどといった不要共振を抑制しにくいという欠点があり、対物レンズが振動することによって高次共振ピークが高くなるという問題点がある。
【０００５】
一方、後者のレンズセンタータイプの対物レンズ駆動装置は、レンズホルダの中心位置に対物レンズを保持しているので、磁気駆動回路の構成に自由度があり、ピッチング、ローリングなどといった不要共振に強いという利点がある（例えば、特許文献２、３参照）。
【０００６】
しかしながら、レンズセンタータイプの対物レンズ駆動装置は、一般に、対物レンズの下方位置に立ち上げミラーを配置する際、対物レンズ駆動装置が搭載された装置フレームの内部に立ち上げミラーが配置されるので、装置フレームを含めた光ヘッド装置全体の厚さ寸法を縮小できないという問題点がある。
【０００７】
そこで、本出願人は先に、図６（ａ）に示すように、上面部中央に対物レンズ２′を保持するレンズホルダ３′においてトラッキング方向Ｔｒと直交する方向で相対向する前面部および後面部のうち、前面部には立ち上げミラーへの光路を確保する開口を形成した光ヘッド装置を提案しており、かかる構成の光ヘッド装置では、レンズホルダの内側に上端部が位置するように立ち上げミラーを配置できるので、光ヘッド装置の薄型化を図ることができる（例えば、特許文献４参照）。
【０００８】
このような構成の光ヘッド装置では、レンズホルダ３′の側には開口を避けるように駆動コイルを配置する必要がある。このため、フォーカシング駆動コイル１１′については、開口を避けるようにレンズホルダ３′の周りに巻回するとともに、その下方位置において開口を挟む両側位置にチルト用駆動コイル１３′を配置している。また、開口を挟む両側位置でフォーカシング駆動コイル１１′およびチルト駆動コイル１３′に重なるようにトラッキング駆動コイル１２′を配置している。
【特許文献１】特許第２１２９１３１号公報
【特許文献２】特開２００３−１６８２３０号公報
【特許文献３】特開２００１−１１８２６９号公報
【特許文献４】特開２００５−６３６１８号公報
【発明の開示】
【発明が解決しようとする課題】
【０００９】
しかしながら、特許文献４に記載の構成では、フォーカシング駆動コイル１１′において推力の発生に寄与しない無効辺部分が占める部分が大きいため、駆動感度を高めることができないという問題点がある。
【００１０】
また、チルト駆動の感度を高める必要がある場合には、例えば、図６（ｂ）に示す駆動マグネット２０′のように、駆動コイル１１′、１２′、１３′の位置に合わせて、トラッキング方向に分極着磁するとともに、厚さ方向でも分極着磁する。しかしながら、このような駆動マグネット２０′は、着磁に多大な手間がかかるとともに、駆動マグネット２０′を配置する際、駆動コイル１１′、１２′、１３′に対して高い位置精度を必要とするという問題点がある。
【００１１】
以上の問題点に鑑みて、本発明の課題は、レンズホルダの上面部中心に対物レンズを配置した場合でも、フォーカシング駆動の際の感度が高い光ヘッド装置を提供することにある。
【００１２】
また、本発明の課題は、さらに、レンズホルダの小型、軽量化を図ることのできる光ヘッド装置を提供することにある。
【００１３】
さらに、本発明の課題は、駆動マグネットを配置する際、高い位置精度を必要としない光ヘッド装置を提供することにある。
【課題を解決するための手段】
【００１４】
上記課題を解決するために、本発明では、対物レンズを上面部中央に保持したレンズホルダと、該レンズホルダを変位可能に支持する固定側部材と、前記レンズホルダをフォーカシング方向、トラッキング方向およびチルト方向に駆動する磁気駆動回路と、前記対物レンズの下方位置に配置された立ち上げミラーとを有し、前記レンズホルダにおいてトラッキング方向と直交する方向で相対向する前面部および後面部のうち、前面部には前記立ち上げミラーへの光路を確保する開口が形成された光ヘッド装置において、前記磁気駆動回路では、前記前面部において前記開口を挟む両側部分および前記後面部の両側部分の計４箇所にフォーカシング駆動コイルが配置され、前記前面部および前記後面部のうちの少なくとも一方の両側部分では前記フォーカシング駆動コイルに重ねてチルト駆動コイルが配置され、前記後面部の中央部分の１箇所にトラッキング駆動コイルが配置されていることを特徴とする。
【００１５】
本発明では、レンズホルダの前面部には立ち上げミラーへの光路を確保する開口が形成されているため、レンズホルダの内側に少なくとも一部が位置するように立ち上げミラーを配置できるので、光ヘッド装置の薄型化を図ることができる。また、レンズホルダの前面部に対して駆動コイルを配置する際、前面部において開口を挟む両側部分、および後面部の両側部分の計４箇所の各々にフォーカシング駆動コイルを配置したので、フォーカシング駆動コイル全体に対向するように駆動マグネットを配置することができる。このため、フォーカシング駆動コイルにおいて推力の発生に寄与する有効辺部分が占める部分が大きく、フォーカシング駆動時の感度が高い。さらに、フォーカシング駆動コイルとチルト駆動コイルとを重ねて配置したため、フォーカシング駆動とチルト駆動とにおいて駆動マグネットを共用できる。さらにまた、レンズホルダの後面部の中央部分には開口がないので、この後面部の中央部分にトラッキング駆動コイルを配置することができ、フォーカシング駆動コイルやチルト駆動コイルにトラッキング駆動コイルを重ねて配置する必要がない。従って、フォーカシング駆動用マグネットおよびトラッキング駆動用の駆動マグネットとして別々のものを用いることができるので、各駆動マグネットに対して、フォーカシング駆動、トラッキング駆動およびチルト駆動に適したパターンで分極着磁する場合でも、２分極着磁で済む。
【００１６】
本発明において、前記チルト駆動コイルは、前記後面部の両側部分で前記フォーカシング駆動コイルに重ねて配置されている場合、前記後面部の少なくとも一部を、両側部分に前記チルト駆動コイルが薄膜パターンにより薄型平面コイルとして形成された剛性基板により構成し、当該剛性基板の外面側には前記チルト駆動コイルの上に前記フォーカシング駆動コイルを接着固定することが好ましい。このように構成すると、後面部自身にチルト駆動コイルが組み込まれているので、チルト駆動コイルにフォーカシング駆動コイルを重ねて配置してもレンズホルダが大型化しない。また、フォーカシング駆動コイルの接着位置などにより、レンズホルダの質量バランスを最適化できるので、高次共振を防止でき、感度を高めることができる。
【００１７】
本発明において、前記剛性基板では、中央部分に前記トラッキング駆動コイルが薄膜パターンにより薄型平面コイルとして形成されていることが好ましい。このように構成すると、トラッキング駆動コイルを別途、巻き線コイルで構成しなくてもよい。
【００１８】
本発明において、前記磁気駆動回路では、前記前面部の両側部分の外面側、および前記後面部の両側部分の外面側に対向する計４箇所にフォーカシング方向に２分極着磁された第１の駆動マグネットが配置され、前記後面部の中央部分の外面側に対向する１箇所にトラッキング方向に２分極着磁された第２の駆動マグネットが配置されていることが好ましい。このように構成すると、各駆動マグネットに対して、フォーカシング駆動、トラッキング駆動およびチルト駆動に適したパターンで分極着磁する場合でも、２分極着磁で済む。従って、駆動マグネットに対する分極着磁を効率よく行うことができるとともに、第２の駆動マグネットを配置する際、レンズホルダに偶力を発生させない位置精度で配置すればよい。また、第１の駆動マグネットと第２の駆動マグネットとが別体であるので、前記第１の駆動マグネットと第２の駆動マグネットとについては各々厚さ寸法が相違しているものを用いることができる。それ故、第２の駆動マグネットについては１つの使用であるが、トラッキング駆動コイルに第２の駆動マグネットを近接配置することができる分、トラッキング駆動時の駆動感度を高めることができる。
【００１９】
本発明において、前記レンズホルダは、トラッキング方向の両側に配置された複数本のワイヤを介して前記固定側部材に変位可能に支持されている構成を採用することができる。
【発明の効果】
【００２０】
本発明によれば、レンズホルダの前面部には立ち上げミラーへの光路を確保する開口が形成されているため、レンズホルダの内側に少なくとも一部が位置するように立ち上げミラーを配置できるので、光ヘッド装置の薄型化を図ることができる。また、レンズホルダの前面部および後面部の各両側部分の計４箇所の各々にフォーカシング駆動コイルを配置したので、フォーカシング駆動コイル全体に対向するように駆動マグネットを配置することができる。従って、フォーカシング駆動コイルにおいて推力の発生に寄与する有効辺部分が占める部分が大きく、フォーカシング駆動時の感度が高い。さらに、フォーカシング駆動コイルとチルト駆動コイルとを重ねて配置したため、フォーカシング駆動とチルト駆動とにおいて駆動マグネットを共用できる。さらにまた、レンズホルダの後面部の中央部分にトラッキング駆動コイルを配置したため、フォーカシング駆動用マグネットおよびトラッキング駆動用の駆動マグネットとして別々のものを用いることができる。それ故、各駆動マグネットに対して、フォーカシング駆動、トラッキング駆動およびチルト駆動に適したパターンで分極着磁する場合でも、２分極着磁で済むため、駆動マグネットに対する分極着磁を効率よく行うことができるとともに、駆動マグネットを配置する際、極端に高い位置精度を必要としない。
【発明を実施するための最良の形態】
【００２１】
以下に、図面を参照して、本発明を適用した光ヘッド装置の一例を説明する。
【００２２】
（全体構成）
図１は、本発明を適用した光ヘッド装置において装置フレームに対物レンズ駆動装置を搭載した状態を示す斜視図である。図２は、本発明を適用した光ヘッド装置の対物レンズ駆動装置の構成を示す斜視図である。図３（ａ）および（ｂ）は、図２に示す光ヘッド装置に用いたレンズホルダを後方斜め上方からみたときの斜視図、それを前方斜め下方からみたときの斜視図である。
【００２３】
図１に示す光ヘッド装置１は、ＣＤあるいはＤＶＤなどの光記録ディスクに対する情報記録、情報再生を行うものであり、送りねじやガイド軸に支持される受け部８１、８２を備えた樹脂製あるいは金属製の装置フレーム８上に対物レンズ駆動装置１０が搭載されている。この光ヘッド装置１で用いられる光学系としては周知のものを用いることができるので、図示および説明を省略するが、光学系（図示せず）から出射されたレーザ光（矢印Ｌで示す）は、対物レンズ２の下方位置に配置された立ち上げミラー（図５を参照して後述する）によって反射され、対物レンズ２に導かれる。
【００２４】
図１、図２および図３（ａ）、（ｂ）に示すように、本形態の光ヘッド装置１において、対物レンズ駆動装置１０は、レンズセンタータイプのものであり、対物レンズ２を上面部中央のレンズ保持部３０で保持しているレンズホルダ３と、レンズホルダ３の左右両側で上下３段に配置された６本のワイヤ５によりレンズホルダ３を変位可能に支持するホルダ支持部材６（固定側部材）と、レンズホルダ３を矢印Ｔｒで示すトラッキング方向、矢印Ｆｏで示すフォーカシング方向、および矢印Ｔｉで示すチルト方向に駆動するための磁気駆動回路７とを有している。６本のワイヤ５は各々、後述するフォーカシング用駆動コイル１１、トラッキング用駆動コイル１２、およびチルト用駆動コイル１３への給電ワイヤとして用いられている。このため、ワイヤ５の基端側は、ホルダ支持部材６の背面に取り付けたプリント基板６１の配線パターンにハンダ等により各々固定されている。また、ワイヤ５の先端側は、レンズホルダ３の左右両側に固着されている中継基板９にハンダにより固定されている。
【００２５】
本形態において、レンズホルダ３の内側には、図５を参照して後述する立ち上げミラー２５が配置されている。このため、レンズホルダ３には、立ち上げミラー２５への光路を確保するために、レンズホルダ３をワイヤ５の先端側からみたとき逆凹の字形状となっている。すなわち、レンズホルダ３において、トラッキング方向で相対向する前面部３６および後面部３７のうち、前面部３７には立ち上げミラー２５への光路を確保する開口３１が形成されている。
【００２６】
（レンズホルダ３および磁気駆動回路７の構成）
図４（ａ）および（ｂ）は、図２に示す光ヘッド装置に用いた剛性基板の正面図、および側面図である。図５は、図２に示す光ヘッド装置に用いたヨークを前方斜め上方からみたときの斜視図である。
【００２７】
図２および図３（ａ）、（ｂ）に示すように、レンズホルダ３は、トラッキング方向Ｔｒにおける両側部分に矩形枠部分３８を有しているとともに、矩形枠部分３８の上端同士は上面部を規定する上板部分３９で連結されている。ここで、矩形枠部分３８および上板部分３９は樹脂により一体成形された部分である。矩形枠部分３８は、後方が開放端になっている平面コの字形状を備えており、その内側には補強板部３８１が形成されている。
【００２８】
これに対して、レンズホルダ３においてトラッキング方向Ｔｒと直交する方向で相対向する前面部３６および後面部３７は、以下のように構成されている。まず、前面部３８は、矩形枠部分３８の内側部分および上板部分３９の下面に固着された金属板あるいはセラミックス板からなるカウンターウェイト５０を備えており、カウンターウェイト５０は、レンズホルダ３を補強するとともに、レンズホルダ３の重量バランスを調整している。ここで、カウンターウエイト５０は、下端部が切り欠かれたアーチ形状を有しており、この切り欠き部分によって前面部３６に開口３１が構成されている。
【００２９】
一方、レンズホルダ３の後面部３７は、矩形枠部分３８の後端部に接着固定された剛性基板１５によって構成されている。
【００３０】
このような構成のレンズホルダ３に対して磁気駆動回路７を構成する駆動コイルを搭載するにあたって、本形態では、まず、前面部３６において開口３１を挟む両側部分、および後面部３７の両側部分の計４箇所の各々にフォーカシング駆動コイル１１が配置されている。また、後面部３７の両側部分の計２箇所の各々にはフォーカシング駆動コイル１１に重ねてチルト駆動コイル１３が配置されている。さらに、後面部３７の中央部分にはトラッキング駆動コイル１２が配置されている。
【００３１】
ここで、後面部３７を構成する剛性基板１５は、両側部分および中央部分の計３箇所にチルト駆動コイル１３およびトラッキング駆動コイル１２が薄膜パターンにより薄型平面コイルとして形成されており、この剛性基板１５の両側部分の外面側において、チルト駆動コイル１３の上層には、空芯コイル（巻線コイル）からなるフォーカシング駆動コイル１１が接着固定されている。
【００３２】
薄型平面コイルを備えた剛性基板１５は、図４（ａ）、（ｂ）に示す形態を有しており、基材上にシートコイル技術などを用いて薄型平面コイルからなるチルト駆動コイル１３およびトラッキング駆動コイル１２が形成されており、この剛性基板１５において、図５（ａ）で点線で矩形に囲んだ部分がランド形成領域１５０となっており、左右の中継基板９との接続部分として用いられる。
【００３３】
図２および図５に示すように、本形態の対物レンズ駆動装置１０において、磁気駆動回路７は、レンズホルダ３の下方位置にヨーク４を備えている。ヨーク４は、レンズホルダ３の下面と対向する底板部４１、底板部４１の前端部で起立する第１のバックヨーク４２、および底板部４１の後端部で起立する第２のバックヨーク４３を備えている。
【００３４】
ここで、ヨーク４の底板部４１には、前端部から後方に矩形の切り抜き部分４１０が形成されており、この切り抜き部分４１０に立ち上げミラー２５が接着固定されている。また、第１のバックヨーク４２には、レンズホルダ３の前面部３６に形成された開口３１と重なる位置に立ち上げミラー２５への光路を確保するための窓４２０が切り抜き部分４１０と一体に形成されており、第１のバックヨーク４２は、窓４２０の両側で垂直方向に延びる一対の垂直板部４２１と、一対の垂直板部４２１の上端同士を連結する水平板部４２２とを有している。
【００３５】
このように構成したヨーク４の上部に対して、図３を参照して説明したレンズホルダ３を配置することにより、図２に示す対物レンズ駆動装置１０が構成される。この状態で、第１のバックヨーク４２はレンズホルダ３の前面部３６に対向し、前面部３６の開口３１と第１のバックヨーク４２の窓４２０とが向き合う。また、第１のバックヨーク４２の一対の垂直板部４２１は、レンズホルダ３の前面部３６において開口３１を挟む両側部分の外面側に各々対向する。また、第２のバックヨーク４３はレンズホルダ３の後面部３７に対向する。
【００３６】
そこで、本形態では、第１のバックヨーク４２の２つの垂直板部４２１の内面に、フォーカシング方向に２分極着磁された第１の駆動マグネット２１を各々接着固定するとともに、第２のバックヨーク４３の内面の両側部分にも、フォーカシング方向に２分極着磁された第１の駆動マグネット２１を各々接着固定する。この状態で、レンズホルダ３の前方に配置された２つの第１の駆動マグネット２１は、フォーカシング駆動コイル１１に対向してこれらのフォーカシング駆動コイル１１の上下の辺部分に鎖交する磁界を発生させる。また、レンズホルダ３の後方に配置された２つの第１の駆動マグネット２１は、フォーカシング駆動コイル１１およびチルト駆動コイル１３に対向し、フォーカシング駆動コイル１１およびチルト駆動コイル１３の双方の上下の辺部分に鎖交する磁界を発生させる。
【００３７】
また、第２のバックヨーク４３の内面の中央部分には、トラッキング方向に２分極着磁された第２の駆動マグネット２２を接着固定する。この状態で、第２の駆動マグネット２２は、トラッキング駆動コイル１２に対向し、トラッキング駆動コイル１２の左右の辺部分に鎖交する磁界を発生させる。
【００３８】
ここで、第１の駆動マグネット２１と第２の駆動マグネット２２とについては厚さ寸法が相違しているものを用いる。すなわち、本形態では、第２の駆動マグネット２２については、第１の駆動マグネット２１よりも厚いものを用いる。このため、トラキング駆動コイル１２は、剛性基板１５に薄型平面コイルとして形成されていので、フォーカシング駆動コイル１１よりも引っ込んだ位置にあるが、トラッキング駆動コイル１２と第２の駆動マグネット２２とを近接配置することができる。
【００３９】
このように構成した対物レンズ駆動装置１０および光ヘッド装置１において、ワイヤ５を介してフォーカシング駆動コイル１１に給電すると、レンズホルダ３には、フォーカシング方向の推力が加わるので、レンズホルダ３を対物レンズ２とともにフォーカシング方向に駆動することができる。また、ワイヤ５を介してチルト駆動コイル１３に給電すると、レンズホルダ３には、そのトラッキング方向における中心位置を通る軸線周りの偶力が加わるので、レンズホルダ３を対物レンズ２とともにチルト方向に駆動することができる。さらに、ワイヤ５を介してトラッキング駆動コイル１２に給電すると、レンズホルダ３には、そのトラッキング方向の推力が加わるので、レンズホルダ３を対物レンズ２とともにトラッキング方向に駆動することができる。
【００４０】
（本形態の主な効果）
以上説明したように、本形態では、レンズホルダ３においてトラッキング方向と直交する方向で相対向する前面部３６および後面部３７のうち、前面部３６には立ち上げミラー２５への光路を確保する開口３１が形成されているため、レンズホルダ３の内側に少なくとも一部が位置するように立ち上げミラー２５を配置できるので、光ヘッド装置１の薄型化を図ることができる。
【００４１】
また、レンズホルダ３の前面部３６において開口３１を挟む両側部分、および後面部の両側部分の計４箇所の各々にフォーカシング駆動コイル１１を配置したので、フォーカシング駆動コイル１１全体に対向するように第１の駆動マグネット２１を配置することができる。このため、フォーカシング駆動コイル１１においては、推力の発生に寄与する有効辺部分が占める部分が大きく、フォーカシング駆動時の感度が高い。
【００４２】
さらに、レンズホルダ３の後面部３７では、フォーカシング駆動コイル１１とチルト駆動コイル１３とを重ねて配置したため、レンズホルダ３の後方に配置した第１の駆動マグネット２１をフォーカシング駆動とチルト駆動とにおいて共用することができる。しかも、チルト駆動コイル１３の全体に対向するように第１の駆動マグネット２１を配置することができるため、チルト駆動コイル１３においては、推力の発生に寄与する推力の発生に寄与する有効辺部分が占める部分が大きく、チルト駆動時の感度が高い。
【００４３】
さらにまた、レンズホルダ３の後面部３７の中央部分には開口がないので、この後面部３７の中央部分にトラッキング駆動コイル１２を配置することができ、フォーカシング駆動コイル１１やチルト駆動コイル１３とトラッキング駆動コイル１２とを重ねて配置する必要がない。従って、フォーカシング・チルト駆動用のマグネットと、トラッキング駆動用マグネットとして別々のものを用いることができるので、各駆動マグネット２１、２２に対して、フォーカシング駆動、トラッキング駆動およびチルト駆動に適したパターンで分極着磁する場合でも、２分極着磁で済む。それ故、駆動マグネット２１、２２に対する分極着磁を効率よく行うことができるとともに、駆動マグネット２１、２２を配置する際、図６（ｂ）に示す駆動マグネットと違って、極端に高い位置精度を必要としない。例えば、第２の駆動マグネット２２を配置する際、レンズホルダ３に偶力を発生させない位置精度で配置すればよい。また、トラッキング駆動コイル１２をレンズホルダ３のトラッキング方向Ｔｒの中心位置に配置したので、ローリングに関係するトラッキング推力中心と、レンズホルダ３の重心の合わせ込みが容易である。
【００４４】
また、第１の駆動マグネット２１と第２の駆動マグネット２２とが別体であるので、第１の駆動マグネット２１と第２の駆動マグネット２２とについては厚さ寸法が相違しているものを用いることができる。それ故、第２の駆動マグネット２２については１つの使用であるが、トラッキング駆動コイル１２に第２の駆動マグネット２２を近接配置することにより、磁気ギャップの最適化を図ることができ、トラッキング駆動時の駆動感度を高めることができる。
【００４５】
また、本形態において、レンズホルダ３の後面部３７は、両側部分および中央部分にチルト駆動コイル１３およびトラッキング駆動コイル１２が薄膜パターンにより薄型平面コイルとして形成された剛性基板１５により構成されており、後面部３７自身にチルト駆動コイル１３が組み込まれている。従って、レンズホルダ３の後面部３７に対して、巻き線コイルからなるチルト駆動コイルと巻き線コイルからなるフォーカシング駆動コイルとを重ねて配置した場合と比較してレンズホルダ３を小型化できる。また、フォーカシング駆動コイル１１の接着位置などにより、レンズホルダ３の質量バランスを最適化できるので、ピッチング、ローリングなどといった不要共振に強い光ヘッド装置１を実現できる。
【００４６】
また、トラッキング駆動コイル１２を剛性基板１５上に薄型平面コイルとして形成したため、トラッキング駆動コイル１２を別途、巻き線コイルで構成しなくてもよいという利点もある。
【００４７】
ここで、チルト駆動コイル１３およびトラッキング駆動コイル１２に加えて、フォーカシング駆動コイル１１も、剛性基板１５上に薄型平面コイルとして構成することも可能であるが、このように構成すると基板が厚くなってしまうので、逆にレンズホルダ３の全体重量が増加してしまい、その結果、駆動感度の低下を招くおそれがある。それ故、本形態では、レンズホルダ３の壁部として共用できる部分にのみに剛性基板１５を用い、フォーカシング駆動コイル１１については、レンズホルダ３の壁部の外面に巻き線コイルを貼付した構成を採用している。それ故、レンズホルダ３および光ヘッド装置１の小型化とともに軽量化も図ることができる。
【００４８】
［その他の実施の形態］
上記形態では、レンズホルダ３の後面部３７でフォーカシング駆動コイル１１に重ねてチルト駆動コイル１３が配置されている構成であったが、レンズホルダ３の前面部３６、ありいは前面部３６および後面部３７の双方でフォーカシング駆動コイル１１に重ねてチルト駆動コイル１３が配置されている構成を採用してもよい。
【図面の簡単な説明】
【００４９】
【図１】本発明を適用した光ヘッド装置において装置フレームに対物レンズ駆動装置を搭載した状態を示す斜視図である。
【図２】本発明を適用した光ヘッド装置の対物レンズ駆動装置の構成を示す斜視図である。
【図３】（ａ）および（ｂ）は、図２に示す光ヘッド装置に用いたレンズホルダを後方斜め上方からみたときの斜視図、およびそれを前方斜め下方からみたときの斜視図である。
【図４】（ａ）および（ｂ）は、図２に示す光ヘッド装置に用いた剛性基板の正面図、および側面図である。
【図５】図２に示す光ヘッド装置に用いたヨークを前方斜め上方からみたときの斜視図である。
【図６】（ａ）および（ｂ）は、従来の光ヘッド装置に用いたレンズホルダを前方斜め上方からみたときの斜視図、および従来の光ヘッド装置に使用される駆動マグネットの一例を示す斜視図である。
【符号の説明】
【００５０】
１  光ヘッド装置
２  対物レンズ
３  レンズホルダ
４  ヨーク
５  ワイヤ
６  ホルダ支持部材（固定側部材）
７  磁気駆動回路
１０  対物レンズ駆動装置
１１  フォーカシング用駆動コイル（巻き線コイル）
１２  トラッキング用駆動コイル（薄型平面コイル）
１３  チルト用駆動コイル（薄型平面コイル）
１５  剛性基板
２１  第１の駆動マグネット
２２  第２の駆動マグネット
２５  立ち上げミラー
３１  開口
【図１】
2007109317.tif 000003
【図２】
2007109317.tif 000004
【図３】
2007109317.tif 000005
【図４】
2007109317.tif 000006
【図５】
2007109317.tif 000007
【図６】
2007109317.tif 000008